(57)【要約】【課題】電源回路とＤＣ／ＤＣ電圧調整回路のコイルと平滑コンデンサーを併用して回路構成を簡素化する。【解決手段】停電しないときに光源を点灯する電源回路１は、ＤＣ／ＤＣ電圧調整回路３のコイルＬ２とダイオードＤ１５の直列回路１７を介して光源８に接続している。商用電源が停電すると、ＤＣ／ＤＣ電圧調整回路３が動作状態となって、二次電池１０の電圧を制御して光源８を点灯する。非停電状態では、ＤＣ／ＤＣ電圧調整回路３を非動作状態として、コイルＬ２を電源回路１の平滑用のコイルＬ２に併用し、コイルＬ２と平滑コンデンサーＣ２１、Ｃ２４で脈流を平滑にする。【選択図】  図１
2004260961.tif 000002
【特許請求の範囲】
【請求項１】
商用電源で光源（８）を点灯すると共に、商用電源の停電状態においては二次電池（１０）で光源（８）を点灯するようにしてなる停電時に電池で点灯する防災用照明であって、
商用電源を光源（８）の点灯電圧とする電源回路（１）と、商用電源で充電される二次電池（１０）と、商用電源で二次電池（１０）を充電する充電回路（２）と、商用電源の非停電状態では非動作状態となって、停電状態で動作状態となって二次電池（１０）の電圧を制御して光源（８）を点灯するＤＣ／ＤＣ電圧調整回路（３）とを備えており、
電源回路（１）の出力側とＤＣ／ＤＣ電圧調整回路（３）の出力側を直接又は間接に光源（８）に接続しており、
商用電源が非停電状態では、ＤＣ／ＤＣ電圧調整回路（３）を非動作状態として、電源回路（１）の出力で光源（８）を点灯し、停電状態においてはＤＣ／ＤＣ電圧調整回路（３）が動作状態となって二次電池（１０）の電圧を制御して光源（８）を点灯するようにしており、
さらに、ＤＣ／ＤＣ電圧調整回路（３）が、コイル（Ｌ２）とダイオード（Ｄ１５）との直列回路（１７）と、この直列回路（１７）のコイル（Ｌ２）とダイオード（Ｄ１５）との接続点に接続されて、停電状態においては所定の周期でオンオフに切り換えられるスイッチング素子（Ｑ１２）とを備え、電源回路（１）の出力側をＤＣ／ＤＣ電圧調整回路（３）の直列回路（１７）を介して光源（８）に接続しており、
非停電状態においてＤＣ／ＤＣ電圧調整回路（３）のコイル（Ｌ２）が電源回路（１）の平滑用のコイルとなって電源回路（１）の脈流を平滑にし、停電時にはコイル（Ｌ２）でもって二次電池（１０）の電圧を制御するようにしてなる停電時に電池で点灯する防災用照明。
【請求項２】
直列回路（１７）の両端に平滑コンデンサー（Ｃ２１）、（Ｃ２４）を接続している請求項１に記載される停電時に電池で点灯する防災用照明。
【請求項３】
ＤＣ／ＤＣ電圧調整回路（３）が、電源回路（１）の出力電圧で停電状態を検出し、停電状態で動作状態となって二次電池（１０）の電圧を調整して光源（８）を点灯する請求項１に記載される停電時に電池で点灯する防災用照明。
【請求項４】
電源回路（１）とＤＣ／ＤＣ電圧調整回路（３）の出力側と光源（８）との間に、光源（８）の点灯を制御する点灯回路（９）を接続しており、この点灯回路（９）は一時オフ回路（１４）を備えており、一時オフ回路（１４）は商用電源が停電状態になると一時的に点灯回路（９）をオフに切り換えて、光源（８）を一時的に消灯するようにしてなる請求項１に記載される停電時に電池で点灯する防災用照明。
【請求項５】
一時オフ回路（１４）が、タイマー回路である請求項４に記載される停電時に電池で点灯する防災用照明。
【請求項６】
一時オフ回路（１４）が、停電状態を検出して点灯回路（９）をオフに切り換え、ＤＣ／ＤＣ電圧調整回路（３）の出力電圧が設定電圧よりも高くなると点灯回路（９）をオンに切り換える回路である請求項４に記載される停電時に電池で点灯する防災用照明。
【発明の詳細な説明】
【０００１】
【発明の属する技術分野】
本発明は、商用電源が停電すると、二次電池で光源を点灯させる誘導灯や非常灯等の防災用照明に関する。
【０００２】
【従来の技術】
誘導灯や非常灯等の防災用照明は、２４時間連続して点灯するために、商用電源が停電しても点灯させる必要がある。これ等の防災用照明は、日本においては交流１００Ｖの商用電源で光源を点灯する。商用電源が停電すると、二次電池に切り換えて光源を点灯する。二次電池は、商用電源が停電したときに光源を点灯できるように、商用電源で充電してつねに満充電された状態に保持される。
【０００３】
このことを実現する防災用照明は、特許文献１に記載される。この防災用照明は、商用電源の電圧を、光源の点灯電圧に降圧する電源回路と、二次電池を充電する充電回路と、二次電池の電圧を調整するＤＣ／ＤＣ電圧調整回路とを備えている。
【０００４】
【特許文献１】
特開２００１−３３８７８４号公報
【０００５】
この防災用照明は、停電していない状態では、電源回路の出力で光源を点灯する。さらに、この時、充電回路が二次電池をトリクル充電して満充電された状態に保持する。商用電源が停電すると、ＤＣ／ＤＣ電圧調整回路が二次電池の電圧を調整して光源を点灯させる。
【０００６】
【発明が解決しようとする課題】
この構造の防災用照明は、停電しないときに商用電源で光源を点灯する電源回路と、停電したときに二次電池の電圧を調整するＤＣ／ＤＣ電圧調整回路とを備えている。電源回路は、商用電源を降圧するトランスと、このトランスで降圧された交流を整流するダイオードと、ダイオードで整流された脈流を平滑にするコイルと平滑コンデンサーからなる平滑回路とを備えている。さらに、二次電池の電圧を調整するＤＣ／ＤＣ電圧調整回路は、電池電圧を制御するコイルと、このコイルにパルス電流を流して電圧を調整するために、数十ｋＨｚ〜数百ｋＨｚの周波数でオンオフに切り換えられるスイッチング素子と、コイルで電圧調整された交流を平滑にする平滑コンデンサーとを備えている。
【０００７】
以上の防災用照明は、電源回路とＤＣ／ＤＣ電圧調整回路の両方に、コイルと平滑コンデンサーを備えるので、回路構成が複雑になって製作コストが高くなる。本発明は、この欠点を解決することを目的に開発されたものである。本発明の重要な目的は、電源回路とＤＣ／ＤＣ電圧調整回路のコイルと平滑コンデンサーを併用することで、回路構成を簡単にして安価に多量生産できる停電時に電池で点灯する防災用照明を提供することにある。
【０００８】
【課題を解決するための手段】
本発明の停電時に電池で点灯する防災用照明は、商用電源が停電しないときは商用電源で光源８を点灯し、商用電源が停電すると二次電池１０に切り換えて光源８を点灯する。この防災用照明は、商用電源を光源８の点灯電圧とする電源回路１と、商用電源で充電される二次電池１０と、商用電源で二次電池１０を充電する充電回路２と、商用電源の非停電状態では非動作状態となって、停電状態で動作状態となって二次電池１０の電圧を制御して光源８を点灯するＤＣ／ＤＣ電圧調整回路３とを備えている。光源８を電源回路１又はＤＣ／ＤＣ電圧調整回路３で点灯するために、電源回路１の出力側と、ＤＣ／ＤＣ電圧調整回路３の出力側を、直接又は間接に光源８に接続している。商用電源が非停電状態では、ＤＣ／ＤＣ電圧調整回路３を非動作状態として、電源回路１の出力で光源８を点灯する。商用電源が停電すると、ＤＣ／ＤＣ電圧調整回路３が動作状態に切り換えられて、ＤＣ／ＤＣ電圧調整回路３が二次電池１０の電圧を制御して光源８を点灯する。さらに、本発明の防災用照明は、ＤＣ／ＤＣ電圧調整回路３が、コイルＬ２とダイオードＤ１５との直列回路１７と、この直列回路１７のコイルＬ２とダイオードＤ１５との接続点に接続しているスイッチング素子Ｑ１２とを備えており、電源回路１の出力側を、ＤＣ／ＤＣ電圧調整回路３の直列回路１７を介して光源８に接続している。この防災用照明は、停電しないときには、ＤＣ／ＤＣ電圧調整回路３を動作させないので、ＤＣ／ＤＣ電圧調整回路３のコイルＬ２は、電源回路１の平滑用のコイルとなって電源回路１の脈流を平滑にする。商用電源が停電すると、ＤＣ／ＤＣ電圧調整回路３のコイルＬ２は、スイッチング素子Ｑ１２でパルス電流が流されて、二次電池１０の電圧を光源８の点灯電圧に制御する。
【０００９】
さらに、本発明の防災用照明は、直列回路１７の両端に平滑コンデンサーＣ２１、Ｃ２４を接続して、脈流をリップルの少ない直流とすることができる。また、ＤＣ／ＤＣ電圧調整回路３は、電源回路１の出力電圧で停電状態を検出し、停電状態で動作状態として、二次電池１０の電圧を調整して光源８を点灯することができる。さらに、防災用照明は、電源回路１とＤＣ／ＤＣ電圧調整回路３の出力側と光源８との間に、光源８の点灯を制御する点灯回路９を接続することができ、この点灯回路９に一時オフ回路１４を設けて、一時オフ回路１４でもって、商用電源が停電状態になると一時的に点灯回路９をオフに切り換えて、光源８を一時的に消灯することができる。この防災用照明は、停電したときにＤＣ／ＤＣ電圧調整回路３を軽負荷で安定して起動できる。一時オフ回路１４は、タイマー回路とし、あるいは、停電状態を検出して点灯回路９をオフに切り換え、ＤＣ／ＤＣ電圧調整回路３の出力電圧が設定電圧よりも高くなると点灯回路９をオンに切り換える回路とすることができる。
【００１０】
【発明の実施の形態】
以下、本発明の実施例を図面に基づいて説明する。ただし、以下に示す実施例は、本発明の技術思想を具体化するための防災用照明を例示するものであって、本発明は防災用照明を以下のものに特定しない。
【００１１】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１２】
図１のブロック図と図２の回路図に示す防災用照明は、通常は商用電源で光源８を点灯するが、商用電源が停電すると、二次電池１０で光源８を点灯する。光源８は、直流で点灯するＬＥＤが利用できるが、直流を交流に変換して蛍光灯ランプを利用することもできる。この図の防災用照明は、商用電源で光源８を点灯電圧とする電源回路１と、商用電源で充電される二次電池１０と、商用電源で二次電池１０を充電する充電回路２と、商用電源が停電しない状態では動作状態とならず、停電すると動作状態となって二次電池１０の電圧を制御して光源８を点灯するＤＣ／ＤＣ電圧調整回路３と、光源８の点灯を制御する点灯回路９を備えている。この図の防災用照明は、電源回路１の出力側とＤＣ／ＤＣ電圧調整回路３の出力側を、点灯回路９を介して光源８に接続している。ただし、電源回路とＤＣ／ＤＣ電圧調整回路の出力側は、点灯回路を介することなく、直接に光源に接続することもできる。
【００１３】
以上の防災用照明は、商用電源が停電しない状態では、ＤＣ／ＤＣ電圧調整回路３を動作させない状態として、電源回路１の出力で光源８を点灯する。商用電源が停電すると、ＤＣ／ＤＣ電圧調整回路３を動作状態として二次電池１０の電圧を調整して光源８を点灯する。
【００１４】
電源回路１は、入力される商用電源である交流の１００Ｖを、光源８の点灯電圧の直流に変換する。図の電源回路１は、入力される商用電源を直流に変換した後、商用電源よりも高い周波数の交流に変換してトランスで電圧を低下させるスイッチング電源である。この電源回路１は、商用電源を整流して直流に変換するブリッジダイオードＲＥと平滑コンデンサーＣ３からなる第１整流回路１５と、この第１整流回路１５の直流をスイッチングして高い周波数に変換するスイッチングＩＣ１と、このスイッチングＩＣ１を一次側に接続しているトランスＴ１と、トランスＴ１の二次側に接続しているダイオードＤ１１と平滑コンデンサーＣ２１からなる第２整流回路１６とを備える。この図の防災用照明は、電源回路１をスイッチング電源としているが、本発明は、電源回路をスイッチング電源には特定しない。電源回路は、商用電源を周波数変換することなくトランスで電圧を低下して、ダイオードで整流して平滑コンデンサーで平滑にすることもできる。
【００１５】
図２の電源回路１は、点灯回路９を制御して、点灯回路９をオンオフに切り換える消灯回路１１を備えている。消灯回路１１は、フォトカップラＰＣ２を介して点灯回路９に接続している。フォトカップラＰＣ２は、入力端子１２をオープンにすると、ＬＥＤが消灯されて、点灯回路９をオフとする。入力端子１２を一方の電源端子１３に接続すると、フォトカップラＰＣ２のＬＥＤは点灯され、点灯回路９のフォトカップラＰＣ２を導通状態として、光源８を点灯できる状態とする。
【００１６】
二次電池１０は、ニッケル−水素電池、ニッケル−カドミウム電池、リチウムイオン二次電池等の充電できる電池である。二次電池１０は、ひとつの電池で構成され、あるいは複数の電池を直列または並列に接続したもので構成される。二次電池１０は、満充電された状態での電圧を電源回路１の出力電圧よりも低くしている。二次電池１０の電圧を電源回路１の出力電圧よりも低くすると、簡単な充電回路２で充電できる。ただし、二次電池の電圧は、必ずしも電源回路の出力電圧よりも低くする必要はない。
【００１７】
充電回路２は、二次電池１０を電源回路１の出力で充電して、つねに満充電された状態とする。図の充電回路２は、電源回路１と二次電池１０との間に接続している電流制限抵抗Ｒ２１Ａ、Ｒ２１Ｂでもって、二次電池１０を微小電流でトリクル充電する。この充電回路２は、０．０３〜０．１Ｃの電流で二次電池１０を常に充電して満充電された状態に保持するように、電流制限抵抗Ｒ２１Ａ、Ｒ２１Ｂの抵抗値を設定する。この充電回路２は、極めて簡単な回路構成にできる。ただし、本発明の防災用照明は、０．１Ｃ以上の電流で二次電池を充電して、満充電を検出して充電を停止し、その後、二次電池が自己放電して残容量が少なくなると、再び充電を開始する充電回路とすることもできる。
【００１８】
ＤＣ／ＤＣ電圧調整回路３は、コイルＬ２とダイオードＤ１５との直列回路１７と、この直列回路１７のコイルＬ２とダイオードＤ１５との接続点に接続しているスイッチング素子Ｑ１２と、スイッチング素子Ｑ１２を所定の周期でオンオフに切り換えるスイッチング回路ＩＣ２とを備える。
【００１９】
コイルＬ２とダイオードＤ１５の直列回路１７は、電源回路１の出力側と光源８との間に接続されて、電源回路１の出力を、コイルＬ２とダイオードＤ１５の直列回路１７を介して光源８に接続している。図の防災用照明は、点灯回路９を備えるので、正確には電源回路１の出力側と点灯回路９との間に直列回路１７を接続しており、直列回路１７は点灯回路９を介して光源８に接続している。点灯回路９は、必ずしも必要としないので、点灯回路のない防災用照明は、直列回路を直接に光源に接続する。
【００２０】
電源回路１の出力側に接続しているＤＣ／ＤＣ電圧調整回路３のコイルＬ２は、停電していない状態においては、電源回路１の平滑用のコイルとなって電源回路１の脈流を平滑にする。商用電源が停電するときに、ＤＣ／ＤＣ電圧調整回路３コイルＬ２は、二次電池１０の電圧を調整する。
【００２１】
直列回路１７は、両端に平滑コンデンサーＣ２１、Ｃ２４を接続している。入力側であるコイルＬ２に接続している平滑コンデンサーＣ２１は、電源回路１の出力を平滑にするコンデンサーである。この平滑コンデンサーＣ２１は、停電状態では二次電池１０と並列に接続されて、二次電池１０からＤＣ／ＤＣ電圧調整回路３に出力する、パルス電流のピーク値を大きくする。すなわち、二次電池１０の実質的な出力インピーダンスを低くする働きをする。直列回路１７の出力側であるダイオードＤ１５に接続している平滑コンデンサーＣ２４は、ＤＣ／ＤＣ電圧調整回路３の出力と、電源回路１の出力の両方を平滑にする電解コンデンサーである。したがって、この平滑コンデンサーＣ２４は、停電しないときは、電源回路１の出力を平滑化してリップルの少ない直流とし、停電状態ではＤＣ／ＤＣ電圧調整回路３の出力を平滑にしてリップルを少なくする。
【００２２】
図の防災用照明は、ＤＣ／ＤＣ電圧調整回路３のコイルＬ２と平滑コンデンサーＣ２４を、電源回路１の出力側に接続している。すなわち、電源回路１の出力側を、コイルＬ２と平滑コンデンサーＣ２４を介して光源８に接続している。したがって、ＤＣ／ＤＣ電圧調整回路３のコイルＬ２と平滑コンデンサーＣ２４は、停電しないで電源回路１が光源８を点灯するとき、電源回路１のダイオードＤ１１で整流された脈流を平滑にする平滑回路として使用される。商用電源が停電して、電源回路１から出力されなくなると、ＤＣ／ＤＣ電圧調整回路３が動作状態となり、コイルＬ２で二次電池１０の電圧を昇圧し、平滑コンデンサーＣ２４で平滑にして光源８を点灯する。
【００２３】
コイルＬ２で二次電池１０の電圧を昇圧するために、スイッチング回路ＩＣ２が、所定の周期でスイッチング素子Ｑ１２をオンオフに切り換える。スイッチング回路ＩＣ２は、スイッチング素子Ｑ１２をオンオフに切り換えるデューティを制御して、平滑コンデンサーＣ２４の電圧、すなわちＤＣ／ＤＣ電圧調整回路３の出力電圧を調整する。図のスイッチング回路ＩＣ２は、出力電圧を調整するフィードバック回路を有する。フィードバック回路は、出力電圧をスイッチング回路ＩＣ２の▲１▼と▲２▼の端子に入力している。
【００２４】
ところで、ＤＣ／ＤＣ電圧調整回路３は、商用電源が停電したときに限って動作状態となり、非停電状態では動作状態とならない。ＤＣ／ＤＣ電圧調整回路３は、商用電源が停電すると動作状態となってスイッチング素子Ｑ１２を所定の周期でオンオフに切り換えて二次電池１０の電圧を昇圧するが、商用電源が停電していない状態では動作状態とならずに、スイッチング素子Ｑ１２をオフ状態に保持する。
【００２５】
図のスイッチング回路ＩＣ２は、電源回路１の出力電圧を検出して停電状態を検出する。商用電源が停電すると動作状態となって二次電池１０の電圧を昇圧して光源８を点灯する。図２のスイッチング回路ＩＣ２は、電源回路１の出力電圧を、ダイオードＤ１４を介して電圧検出端子（▲７▼ピン）に入力している。このスイッチング回路ＩＣ２は、停電して電圧検出端子の電圧が”Ｌｏｗ”になると、動作状態となって、スイッチング素子Ｑ１２をオンオフに切り換える。商用電源が停電していない状態では、電圧検出端子の電圧が”Ｈｉｇｈ”となるので、この状態では動作しなくなってスイッチング素子Ｑ１２をオフに保持する。
【００２６】
スイッチング回路ＩＣ２が動作状態になってスイッチング素子Ｑ１２をオンオフに切り換えると、コイルＬ２とダイオードＤ１５との接続点の電圧は、パルス状に変動する。スイッチング素子Ｑ１２がオンの状態で接続点の電圧は０Ｖになる。このときコイルＬ２に電流が流れて、コイルＬ２に電流のエネルギーが蓄えられる。スイッチング素子Ｑ１２がオフになると、コイルＬ２に蓄えられるエネルギーが接続点の電圧を上昇させる。コイルＬ２に蓄えられる電流のエネルギーは、コイルＬ２に流れる電流の自乗と、コイルＬ２のインダクタンスの積に比例する。したがって、コイルＬ２に流れる電流の大きさで接続点の電圧を調整できる。コイルＬ２はスイッチング素子Ｑ１２をオンにする時間が長くなると、電流が増加する。したがって、スイッチング素子Ｑ１２のオン時間でコイルＬ２に流れる電流、すなわち、コイルＬ２に蓄えられるエネルギーを調整して、接続点の電圧を制御できる。したがって、スイッチング素子Ｑ１２をオンオフにする毎に、接続点の電圧はパルス状に変動する。このパルス電圧はダイオードＤ１５で整流される。整流された脈流は、ダイオードＤ１５の出力側に接続している平滑コンデンサーＣ２４で平滑化される。このとき、平滑コンデンサーＣ２４は、パルスのピーク電圧に近い電圧で充電される。したがって、平滑コンデンサーＣ２４の充電電圧、いいかえると接続点のピーク電圧は、スイッチング素子Ｑ１２をオンにする時間、すなわちスイッチング素子Ｑ１２をオンオフに切り換えるデューティで調整できる。スイッチング素子Ｑ１２のオフ時間に比較してオン時間が長くなると、コイルＬ２に流れる電流が大きくなって、コイルＬ２に蓄えられるエネルギーが大きくなり、接続点の電圧が高くなって、平滑コンデンサーＣ２４の電圧も高くなる。反対にオン時間を短くすると、コイルＬ２の電流が小さくなり、コイルＬ２に蓄えられるエネルギーが小さくなって平滑コンデンサーＣ２４の電圧は低くなる。図のスイッチング回路ＩＣ２は、平滑コンデンサーＣ２４の電圧を検出し、この検出電圧を▲１▼と▲２▼の端子にフィードバックして、出力電圧を設定電圧に安定化させている。二次電池１０は、放電が進行すると電圧が低下する。電圧が低下すると、スイッチング回路はスイッチング素子Ｑ１２をオンオフに切り換えるデューティを調整して、光源８の点灯電圧を一定にする。
【００２７】
以上のように、商用電源が停電すると、ＤＣ／ＤＣ電圧調整回路３のコイルＬ２は、二次電池１０の電圧を設定電圧に昇圧するトランスの作用をするが、商用電源が停電しないときには、電源回路１の脈流を平滑化するチョークコイルの作用をする。平滑化するチョークコイルは、電源電圧を低下させることはあっても高くすることはない。すなわち、コイルＬ２は、商用電源が停電する時と停電しないときとで、全く異なる作用をして、電源回路１の平滑用チョークコイルと、二次電池１０の電圧を昇圧する昇圧トランスとに併用される。
【００２８】
点灯回路９は、電源回路１及びＤＣ／ＤＣ電圧調整回路３の出力側と光源８との間に接続される。点灯回路９は、光源８を点灯するときにオン、消灯するときにオフに切り換えられる点滅用スイッチング素子Ｑ１６と、この点滅用スイッチング素子Ｑ１６をオンオフに切り換える一時オフ回路１４とを備える。点滅用スイッチング素子Ｑ１６は、一時オフ回路１４にオンオフに制御される。点灯回路９の一時オフ回路１４は、電源回路１とＤＣ／ＤＣ電圧調整回路３の両方で制御されて、点滅用スイッチング素子Ｑ１６をオンオフに制御する。
【００２９】
一時オフ回路１４は、商用電源が停電状態になると、一時的に点灯回路９をオフに切り換えて、光源８を一時的に消灯する。消灯回路１１が停電した瞬間から、点灯回路９が光源８を点灯すると、ＤＣ／ＤＣ電圧調整回路３が動作を開始したときに、負荷が大きくなる。この状態で負荷が大きいと、過電流で部品が破損したり、あるいはドライブ電力が不足して正常に動作できないことがある。消灯回路１１が停電したときに、一時オフ回路１４が光源８を一時的に消灯する状態で、ＤＣ／ＤＣ電圧調整回路３をスタートさせると、ＤＣ／ＤＣ電圧調整回路３は無負荷でスタートされて動作状態となる。動作状態となったＤＣ／ＤＣ電圧調整回路３は、平滑コンデンサーＣ２４を設定電圧に充電する。この状態で、一時オフ回路１４は、点滅用スイッチング素子Ｑ１６をオンに切り換える。このようにすれば、ＤＣ／ＤＣ電圧調整回路３を確実に安定して動作状態に切り換えできる。安定して動作する状態になったＤＣ／ＤＣ電圧調整回路３は、その後に点滅用スイッチング素子Ｑ１６をオンに切り換えて、光源８を点灯できる。
【００３０】
図２の点灯回路９は、一時オフ回路１４をタイマーとしている。タイマー回路は、点滅用スイッチング素子Ｑ１６をドライブするドライブトランジスターＱ１５のベースに接続しているタイミングコンデンサーＣ２５と、このタイミングコンデンサーＣ２５に接続しているタイミング抵抗Ｒ３４で実現される。このタイマー回路は、タイミング抵抗Ｒ３４とタイミングコンデンサーＣ２５でもって、ドライブトランジスターＱ１５のベース電圧の上昇時間を遅らせて、ドライブトランジスターＱ１５がオンに切り換えられるのを遅らせる。ドライブトランジスターＱ１５がオンになって、点滅用スイッチング素子Ｑ１６をオンに切り換えるからである。
【００３１】
ただし、一時オフ回路は、ＤＣ／ＤＣ電圧調整回路の出力電圧を検出し、この出力電圧が設定電圧になると点滅用スイッチング素子をオフからオンに切り換える回路とすることもできる。
【００３２】
以上の防災用照明は、停電しない非停電状態においては、電源回路１が光源８を点灯する。このとき、ＤＣ／ＤＣ電圧調整回路３のコイルＬ２は、電源回路１の平滑用のコイルとなって脈流を平滑にして光源８を点灯する。商用電源が停電すると、ＤＣ／ＤＣ電圧調整回路３が光源８を点灯するが、このときＤＣ／ＤＣ電圧調整回路３のコイルＬ２は、二次電池１０の電圧を昇圧し、コイルＬ２で昇圧された交流を平滑コンデンサーＣ２４で平滑にして光源８を点灯する。
【００３３】
また、本実施例に、以下の追加の機能を付加することもできる。光源寿命または電池寿命に達すると、光源自体を点滅させたり、別途設けられるＬＥＤモニターを点滅、点灯させて、光源または電池の交換時期を知らせる機能を追加してもよい。このような交換時期は、光源の累計点灯時間（電池のトリクル充電累積時間でもある）を清算することにより、所定の累積時間に到達したとき認識できるものである。また、特に、光源自体が点滅するときは、人がすぐに点滅していることを認識することができるので、光源寿命、電池寿命を忘れることなく認識できる。また、このような光源の点滅を、手動又は自動で復帰させる機能をも備えている。そして、寿命に達した光源、電池を交換しないかぎりは、繰り返し寿命を知らせるため、周期的（例えば、１日に一度）に点滅させることもできる。
【００３４】
【発明の効果】
本発明の防災用照明は、回路構成を簡単にして、しかも安価に多量生産できる特長がある。それは、ＤＣ／ＤＣ電圧調整回路に備える昇圧用のコイルと、このコイルで昇圧された交流を整流して平滑にする平滑コンデンサーの両方を、商用電源を直流に変換するチョークコイルと平滑用のコンデンサーに併用しているからである。ＤＣ／ＤＣ電圧調整回路は、コイルと直列に整流用のダイオードが接着される。このため、電源回路の出力側は、コイルとダイオードの直列回路を介して光源に接続される。ダイオードは、電源回路が光源を点灯するときに、順方向に電流が流れる。このため、ＤＣ／ＤＣ電圧調整回路のダイオードは、電源回路の脈流を平滑化する作用を阻害することはない。したがって、本発明の防災用照明は、商用電源が停電するときには、ＤＣ／ＤＣ電圧調整回路を動作状態としてコイルにパルス電流を流して二次電池の電圧を昇圧し、コイルで昇圧した交流をダイオードで整流して平滑コンデンサーで平滑にするが、商用電源が停電しないときは、ＤＣ／ＤＣ電圧調整回路の動作を停止し、ＤＣ／ＤＣ電圧調整回路のコイルにパルス電流を流すことなく、このコイルを商用電源を整流した脈流を平滑化する平滑用のチョークコイルとして使用し、さらにコイルの出力側に接続している平滑コンデンサーで脈流を平滑にする。このため、商用電源が停電するときと、停電しないときのリップルを少なくしながら、コイルと平滑コンデンサーの回路を簡単にできる特長がある。
【図面の簡単な説明】
【図１】本発明の一実施例にかかかる防災用照明のブロック図
【図２】図１に示す防災用照明の回路図
【符号の説明】
１…電源回路
２…充電回路
３…ＤＣ／ＤＣ電圧調整回路
８…光源
９…点灯回路
１０…二次電池
１１…消灯回路
１２…入力端子
１３…電源端子
１４…一時オフ回路
１５…第１整流回路
１６…第２整流回路
１７…直列回路
【図１】
2004260961.tif 000003
【図２】
2004260961.tif 000004